(57)【要約】【課題】熱い飲み物でも安心して使用できる携帯に便利な安価な折り畳み紙コップを提供する。【解決手段】耐水加工の施された紙からなり、折り畳んで収納時に上部が下部に比較して幅広であって、上縁１４が緩やかなカーブで円弧状に膨らんでいる波状曲線を有し、下縁が直線状にシールされて底部１３が形成され、上縁１４と底部１３の両端とを繋ぐ側部の相対向する２辺の稜線部１１、１１ａを押圧することによって、上縁１４が開口して飲み口となる折り畳み紙コップ１０であって、稜線部１１、１１ａの一部又は全部に、上縁１４を開口して飲み口を設けるための紙と実質的に同じ材料からなる押圧把持体１５を有する。【選択図】図１
0003106438.tif 000002
【実用新案登録請求の範囲】
【請求項１】
耐水加工の施された紙からなり、折り畳んで収納時に上部が下部に比較して幅広であって、上縁が緩やかなカーブで円弧状に膨らんでいる波状曲線を有し、下縁が直線状にシールされて底部が形成され、前記上縁と前記底部の両端とを繋ぐ側部の相対向する２辺の稜線部を押圧することによって、前記上縁が開口して飲み口となる折り畳み紙コップであって、
前記稜線部の一部又は全部に、前記上縁を開口して前記飲み口を設けるための前記紙と実質的に同じ材料からなる押圧把持体を有することを特徴とする折り畳み紙コップ。
【請求項２】
請求項１記載の折り畳み紙コップにおいて、前記底部の一部又は全部に前記押圧把持体と実質的に同じ形態からなる支持体を有することを特徴とする折り畳み紙コップ。
【請求項３】
請求項２記載の折り畳み紙コップにおいて、前記押圧把持体と、前記支持体が連結していることを特徴とする折り畳み紙コップ。
【請求項４】
請求項１〜３のいずれか一項記載の折り畳み紙コップにおいて、前記波状曲線が前記稜線部の２辺が実質的に同一長さで、前記上縁中央部が最大膨らみとなる前記カーブであって、前記上縁が平面視して略円形状態の開口時に正面視して略水平の前記飲み口となることを特徴とする折り畳み紙コップ。
【考案の詳細な説明】
【技術分野】
【０００１】
本考案は、例えば、オフィス内や、列車等の乗り物等に設置される飲料水供給装置、あるいは、熱い飲料が入ったポットや容器等からの飲料物を入れるための折り畳んである状態から飲み口を開口して使用する折り畳み紙コップに関する。
【背景技術】
【０００２】
従来から折り畳んである状態から飲み口を開口して使用するこの種の紙コップとしては、各種形態のものが知られている。図４（Ａ）、（Ｂ）を参照しながら従来の折り畳み紙コップの一例を説明する。これらの折り畳み紙コップ５０、５０ａは、１枚の耐水加工の施された紙を筒状に巻き込むようにして２箇所の稜線部５１、５１ａで折りたたんで、重なり部５２を接着剤等で接合し、更に、下部の一部分を一方の内側方向に折り曲げて接着剤等で接合して底部５３を形成して作製している。図４（Ａ）に示すように、折り畳み紙コップ５０は、上部が下部に比較して幅広からなり、上縁５４が一方の稜線部５１と、他方の稜線部５１ａの高さを同等とする実質的に水平に仕上げられている。図４（Ｂ）に示すように、折り畳み紙コップ５０ａは、上部と下部の幅が略同等からなり、上縁５４ａが一方の稜線部５１側を他方の稜線部５１ａ側より高くする波状曲線を形成し、上縁５４ａを開口させた時に、高い方の稜線部５１の部分の上縁５４ａ付近を飲料水等の飲み口５５としている。
【０００３】
１枚の紙を折りこんで作られる紙コップには、一方の稜線部と他方の稜線部を同一として上縁が全長に亘って緩やかなカーブで円弧状に膨らました紙コップが提案されている（例えば、特許文献１参照）。また、折り畳み紙コップには、折り畳んだ状態から組み立てた時に、テーブル等に載置が可能な底を持った飲み口が四角形状の紙コップが提案されている（例えば、特許文献２参照）。
【特許文献１】特開平９−２４９２４号公報
【特許文献２】特開平８−１６４９２９号公報
【考案の開示】
【考案が解決しようとする課題】
【０００４】
しかしながら、前述したような従来の折り畳み紙コップは、未だ解決すべき次のような問題がある。
（１）従来の一般的な折り畳み紙コップは、底部が１つの直線状に形成されているので、飲料を口にする者が紙コップの稜線部を指で押圧して開口し、飲料物を紙コップの中に注いで飲料物が無くなるまで、テーブル等に置くことなく飲み口から飲むことを前提としている。しかしながら、このような折り畳み紙コップは、熱い飲み物を飲もうする場合に時間の経過と共に、熱さが指や、手に伝わり保持が困難となる事態が発生している。
（２）従来の一般的な折り畳み紙コップは、稜線部の折り目の強度のみで開口するので、稜線部の強度が弱く、開口が難しく紙コップを破損させてしまう場合がある。また、飲み物を注いだ後は、時間の経過と共に稜線部が軟弱化して開口保持力が低下するので、飲料物を素早く飲み干す必要があり慌しい。特に、熱い飲み物の場合には飲むことができなくなる。
（３）従来の一般的な折り畳み紙コップは、紙コップの上縁を緩やかな波状曲線として開口した時の飲み口を飲み易く、あるいは水平にしようとしても、稜線部を押圧しての開口形状が安定せず、波状曲線の有効性を充分に生かすことができない。
（４）テーブル等に載置が可能な底を持った折り畳み紙コップは、組み立てが複雑で難しい。また、折り畳んだ時に嵩張り、収納場所を多く必要とする。更に、形状が複雑で洗浄が難しく、繰り返し使用の限界が早いと共に、作製するのに比較的高価なものとなっている。
本考案は、かかる事情に鑑みてなされたものであって、熱い飲み物でも安心して使用できる携帯に便利な安価な折り畳み紙コップを提供することを目的とする。
【課題を解決するための手段】
【０００５】
前記目的に沿う本考案に係る折り畳み紙コップは、耐水加工の施された紙からなり、折り畳んで収納時に上部が下部に比較して幅広であって、上縁が緩やかなカーブで円弧状に膨らんでいる波状曲線を有し、下縁が直線状にシールされて底部が形成され、上縁と底部の両端とを繋ぐ側部の相対向する２辺の稜線部を押圧することによって、上縁が開口して飲み口となる折り畳み紙コップであって、稜線部の一部又は全部に、上縁を開口して飲み口を設けるための紙と実質的に同じ材料からなる押圧把持体を有する。
【０００６】
ここで、折り畳み紙コップは、底部の一部又は全部に押圧把持体と実質的に同じ形態からなる支持体を有するのがよい。
また、折り畳み紙コップは、押圧把持体と、支持体が連結しているのがよい。
更に、折り畳み紙コップは、波状曲線が稜線部の２辺が実質的に同一長さで、上縁中央部が最大膨らみとなるカーブであって、上縁が平面視して略円形状態の開口時に正面視して略水平の飲み口となるのがよい。
【考案の効果】
【０００７】
請求項１又はこれに従属する請求項２〜４記載の折り畳み紙コップは、耐水加工の施された紙からなり、折り畳んで収納時に上部が下部に比較して幅広であって、上縁が緩やかなカーブで円弧状に膨らんでいる波状曲線を有し、下縁が直線状にシールされて底部が形成され、上縁と底部の両端とを繋ぐ側部の相対向する２辺の稜線部を押圧することによって、上縁が開口して飲み口となる折り畳み紙コップであって、稜線部の一部又は全部に、上縁を開口して飲み口を設けるための紙と実質的に同じ材料からなる押圧把持体を有するので、稜線部を押圧する時に押圧把持体が断熱効果を発揮し、たとえ熱い飲み物であってもコップを把持することができる。また、押圧把持体によって稜線部の強度を高めることができるので、上縁の開口保持力を維持することができ、熱い飲み物でもゆっくり落ち着いて飲むことができる。更に、押圧把持体によって開口形状を安定化できるので、飲料物の飲み易さを向上できる。更にまた、折り畳み紙コップの構造が簡単であるので、紙コップを安価にすることができる。
【０００８】
特に、請求項２記載の折り畳み紙コップは、底部の一部又は全部に押圧把持体と実質的に同じ形態からなる支持体を有するので、折り畳み紙コップの強度を向上させることができると共に、底部を指や、手で支える時の断熱効果を得ることができ、安心して飲み物を保持することができる。
【０００９】
また、請求項３記載の折り畳み紙コップは、押圧把持体と、支持体が連結しているので、折り畳み紙コップの強度を更に向上させることができる。
【００１０】
更に、請求項４記載の折り畳み紙コップは、波状曲線が稜線部の２辺が実質的に同一長さで、上縁中央部が最大膨らみとなるカーブであって、上縁が平面視して略円形状態の開口時に正面視して略水平の飲み口となるので、上縁の正面視する波状形状を生かすことができ、開口時の水平によって飲み物を効率よく注入できると共に、飲み物の飲み易さを向上させることができる。
【考案を実施するための最良の形態】
【００１１】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係る折り畳み紙コップの折り畳み状態の説明図、開口した状態の説明図、図２（Ａ）、（Ｂ）はそれぞれ同折り畳み紙コップの図１におけるＡ−Ａ’線拡大断面図、変形例のＡ−Ａ’線拡大断面図、図３（Ａ）〜（Ｃ）はそれぞれ同折り畳み紙コップの変形例の折り畳み状態の説明図、他の変形例の折り畳み状態の説明図、更に他の変形例の折り畳み状態の説明図である。
【００１２】
図１（Ａ）、（Ｂ）に示すように、本考案の一実施の形態に係る折り畳み紙コップ１０は、材料である紙が耐水加工が施された紙からなり、例えば、１枚の紙を筒状に巻き込むようにして２箇所の稜線部１１、１１ａで折りたたんで、互いの端部を重ね合わせることで形成される重なり部１２が接着剤等で接合されている。そして、折り畳み紙コップ１０は、更に、下部の一部分を一方の内側方向に折り曲げて接着剤等で接合して下縁が直線状にシールされることで底部１３を形成して作製している。また、折り畳み紙コップ１０は、折り畳んで収納した時に上部が下部に比較して幅広であって、上縁１４が緩やかなカーブで円弧状に膨らんでいる波状形状を有している。この折り畳み紙コップ１０は、上縁１４と底部１３の両端とを繋ぐ側部の相対向する２辺である稜線部１１、１１ａを指でそれぞれ内側方向に押圧することによって、上縁１４が開口して飲み口となるようになっている。
【００１３】
この折り畳み紙コップ１０の稜線部１１、１１ａには、それぞれの長さの一部又は全部に、相対向するそれぞれを内側方向に指で押圧して上縁１４を開口し、飲料物を飲むための飲み口を設けるために、上記の紙と実質的に同じ材料からなる押圧把持体１５を設けている。ここで、図２（Ａ）に示すように、本考案の一実施の形態に係る折り畳み紙コップ１０の押圧把持体１５は、例えば、細長い紙を円筒状に１又は複数重に丸めて円筒体を形成し、この円筒体をそれぞれ稜線部１１、１１ａに２本を並べて接合すると同時に、円筒体同士も接合して形成することができる。また、図２（Ｂ）に示すように、本考案の一実施の形態に係る折り畳み紙コップ１０の変形例の押圧把持体１５ａは、例えば、稜線部１１、１１ａの折り曲がった先端部を丸め込むようにして接合して形成することができる。なお、この変形例の押圧把持体１５ａは、稜線部１１、１１ａの長さの全部を丸め込む必要があるので、押圧把持体１５ａを稜線部１１、１１ａの長さの全部に亘って設ける場合に形成することができる。折り畳み紙コップ１０は、押圧把持体１５、１５ａ（以下、代表して１５と記す）によって、容易に上縁１４を安定して開口できると共に、押圧把持体１５による断熱効果で熱い飲み物の場合でも容易且つ安全に紙コップを持つことができる。
【００１４】
次いで、図３（Ａ）〜（Ｃ）を参照しながら、本考案の一実施の形態に係る折り畳み紙コップ１０の変形例の折り畳み紙コップ１０ａ、他の変形例の折り畳み紙コップ１０ｂ、更に他の変形例の折り畳み紙コップ１０ｃを説明する。
図３（Ａ）に示すように、変形例の折り畳み紙コップ１０ａは、底部１３の一部、又は全部に、押圧把持体１５と実質的に同じ形態からなる支持体１６を有している。この支持体１６によって、折り畳み紙コップ１０ａは、押圧把持体１５で支えることができると共に、底部１３でもコップを支えることができ、しかも、この支持体１６の断熱効果で熱い飲み物の場合であっても容易、且つ安全に紙コップを持つことができる。
【００１５】
図３（Ｂ）に示すように、他の変形例の折り畳み紙コップ１０ｂは、押圧把持体１５と、支持体１６が稜線部１１、１１ａと、底部１３とのそれぞれのコーナー部で連結している。この連結によって、紙コップ自体に強度を持たせることができると共に、押圧把持体１５での押圧を容易に行うことができる。
【００１６】
図３（Ｃ）に示すように、更に他の変形例の折り畳み紙コップ１０ｃは、上縁１４ａの波状曲線が、２つのそれぞれの稜線部１１、１１ａの長さが実質的に同一長さで、上縁１４ａ中央部が最大の膨らみとなるカーブからなり、押圧把持体１５で上縁１４ａを開口して、上縁１４ａが平面視して略円形形状の時に、正面視して略水平の飲み口となっている。
【産業上の利用可能性】
【００１７】
本考案の折り畳み紙コップは、オフィス内や、列車等の乗り物等に設置される飲料水供給装置、あるいは、熱い飲料が入ったポットや容器等からの飲料物を入れるための折り畳んである状態から飲み口を開口して使用する場合のみならず、例えば、旅行や、外出等において、途中や、目的地等で口をすすいだり、飲料水を飲む時や、薬を飲む時等に飲料水を入れるために折り畳んで携帯することもできる。また、折り畳み紙コップは、携帯用として、例えば、ポケットティッシュを包み込んでいる袋と同様のものに複数個収納して持ち運ぶことができ、使い捨てのみならず繰り返し使用することもできる。
【図面の簡単な説明】
【００１８】
【図１】（Ａ）、（Ｂ）はそれぞれ本考案の一実施の形態に係る折り畳み紙コップの折り畳み状態の説明図、開口した状態の説明図である。
【図２】（Ａ）、（Ｂ）はそれぞれ同折り畳み紙コップの図１におけるＡ−Ａ’線拡大断面図、変形例のＡ−Ａ’線拡大断面図である。
【図３】（Ａ）〜（Ｃ）はそれぞれ同折り畳み紙コップの変形例の折り畳み状態の説明図、他の変形例の折り畳み状態の説明図、更に他の変形例の折り畳み状態の説明図である。
【図４】（Ａ）、（Ｂ）はそれぞれ従来の折り畳み紙コップの折り畳み状態の説明図である。
【符号の説明】
【００１９】
１０、１０ａ、１０ｂ、１０ｃ：折り畳み紙コップ、１１、１１ａ：稜線部、１２：重なり部、１３：底部、１４、１４ａ：上縁、１５、１５ａ：押圧把持体、１６：支持体
【図１】
0003106438.tif 000003
【図２】
0003106438.tif 000004
【図３】
0003106438.tif 000005
【図４】
0003106438.tif 000006